Podtech/llm-jp-corpus-v4-ja_patent huggingface dataset:
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
非ステロイド系抗炎症薬（ＮＳＡＩＤ）の投与前、投与中、または投与後と組み合わせて、下部尿路機能障害を患う対象の尿失禁の治療に使用する、α2δカルシウム・チャンネル・サブユニット（Ａ２ｄ）リガンド。 
【請求項２】
（１Ｒ，５Ｒ，６Ｓ）−６−アミノメチル−６−カルボキシメチル−ビシクロ［３．２．０］ヘプタン、３−（１−アミノメチル−シクロヘキシルメチル）−４Ｈ−１，２，４−オキサジアゾール−５−オン、５−（１−アミノメチル−シクロヘキシルメチル）−１Ｈ−テトラゾール、（３Ｓ，４Ｓ）−（１−アミノメチル−１−カルボキシメチル−３，４−ジメチル−シクロペンタン、（１α，３α，５α）−（３−アミノメチル−３−カルボキシメチル−ビシクロ［３．２．０］ヘプタン、（３Ｓ，５Ｒ）−３−アミノメチル−５−メチル−オクタン酸、（３Ｓ，５Ｒ）−３−アミノ−５−メチル−ヘプタン酸、（３Ｓ，５Ｒ）−３−アミノ−５−メチル−オクタン酸、（３Ｓ，５Ｒ）−３−アミノ−５−メチル−ノナン酸、（２Ｓ，４Ｓ）−４−（３−クロロフェノキシ）−プロリンまたは（２Ｓ，４Ｓ）−４−（３−フルオロベンジル）−プロリン、もしくはそれらの２つ以上の混合物であることを特徴とする請求項１記載のＡ２ｄリガンド。
【請求項３】
ガバペンチンまたはプレガバリンであることを特徴とする請求項１記載のＡ２ｄリガンド。
【請求項４】
α2δカルシウム・チャンネル・サブユニット（Ａ２ｄ）リガンドの投与前、投与中、または投与後と組み合わせて、下部尿路機能障害を患う対象の尿失禁の治療に使用するための非ステロイド系抗炎症薬（ＮＳＡＩＤ）。 
【請求項５】
ＣＯＸ阻害剤であることを特徴とする請求項４記載のＮＳＡＩＤ。
【請求項６】
セレコキシブ、ジクロフェナク、ジフルニサル、フルルビプロフェン、ナプロキセン、ニメスリドまたはスリンダクであることを特徴とする請求項４または５記載のＮＳＡＩＤ。
【請求項７】
下部尿路機能障害を患う対象の尿失禁の治療において、同時に、または連続して使用する 、α2δカルシウム・チャンネル・サブユニット（Ａ２ｄ）リガンドおよび非ステロイド系抗炎症薬（ＮＳＡＩＤ）。
【請求項８】
前記Ａ２ｄリガンドが、（１Ｒ，５Ｒ，６Ｓ）−６−アミノメチル−６−カルボキシメチル−ビシクロ［３．２．０］ヘプタン、３−（１−アミノメチル−シクロヘキシルメチル）−４Ｈ−１，２，４−オキサジアゾール−５−オン、５−（１−アミノメチル−シクロヘキシルメチル）−１Ｈ−テトラゾール、（３Ｓ，４Ｓ）−（１−アミノメチル−１−カルボキシメチル−３，４−ジメチル−シクロペンタン、（１α，３α，５α）−（３−アミノメチル−３−カルボキシメチル−ビシクロ［３．２．０］ヘプタン、（３Ｓ，５Ｒ）−３−アミノメチル−５−メチル−オクタン酸、（３Ｓ，５Ｒ）−３−アミノ−５−メチル−ヘプタン酸、（３Ｓ，５Ｒ）−３−アミノ−５−メチル−オクタン酸, （３Ｓ，５Ｒ）−３−アミノ−５−メチル−ノナン酸、（２Ｓ，４Ｓ）−４−（３−クロロフェノキシ）−プロリンまたは（２Ｓ，４Ｓ）−４−（３−フルオロベンジル）−プロリン、もしくはそれらの２つ以上の混合物であることを特徴とする請求項７記載のＡ２ｄリガンドおよびＮＳＡＩＤ。
【請求項９】
前記Ａ２ｄリガンドが、ガバペンチンまたはプレガバリンであることを特徴とする請求項７記載のＡ２ｄリガンドおよびＮＳＡＩＤ。
【請求項１０】
前記ＮＳＡＩＤが、ＣＯＸ阻害剤であることを特徴とする請求項７〜９いずれか１項記載のＡ２ｄリガンドおよびＮＳＡＩＤ。
【請求項１１】
前記ＮＳＡＩＤが、セレコキシブ、ジクロフェナク、ジフルニサル、フルルビプロフェン、ナプロキセン、ニメスリドまたはスリンダクであることを特徴とする請求項７〜１０いずれか１項記載のＡ２ｄリガンドおよびＮＳＡＩＤ。
【請求項１２】
非ステロイド系抗炎症薬（ＮＳＡＩＤ）の投与前、投与中、または投与後と組み合わせて、下部尿路機能障害を患う対象の尿失禁を治療するための医薬組成物であって、
α2δカルシウム・チャンネル・サブユニット（Ａ２ｄ）リガンドを含む、医薬組成物。
【請求項１３】
α2δカルシウム・チャンネル・サブユニット（Ａ２ｄ）リガンドの投与前、投与中、または投与後と組み合わせて、下部尿路機能障害を患う対象の尿失禁を治療するための医薬組成物であって、
非ステロイド系抗炎症薬（ＮＳＡＩＤ）を含む、医薬組成物。
【請求項１４】
前記Ａ２ｄリガンドが、（１Ｒ，５Ｒ，６Ｓ）−６−アミノメチル−６−カルボキシメチル−ビシクロ［３．２．０］ヘプタン、３−（１−アミノメチル−シクロヘキシルメチル）−４Ｈ−１，２，４−オキサジアゾール−５−オン、５−（１−アミノメチル−シクロヘキシルメチル）−１Ｈ−テトラゾール、（３Ｓ，４Ｓ）−（１−アミノメチル−１−カルボキシメチル−３，４−ジメチル−シクロペンタン、（１α，３α，５α）−（３−アミノメチル−３−カルボキシメチル−ビシクロ［３．２．０］ヘプタン、（３Ｓ，５Ｒ）−３−アミノメチル−５−メチル−オクタン酸、（３Ｓ，５Ｒ）−３−アミノ−５−メチル−ヘプタン酸、（３Ｓ，５Ｒ）−３−アミノ−５−メチル−オクタン酸, （３Ｓ，５Ｒ）−３−アミノ−５−メチル−ノナン酸、（２Ｓ，４Ｓ）−４−（３−クロロフェノキシ）−プロリンまたは（２Ｓ，４Ｓ）−４−（３−フルオロベンジル）−プロリン、もしくはそれらの２つ以上の混合物であることを特徴とする請求項１２または１３記載の医薬組成物。
【請求項１５】
前記Ａ２ｄリガンドが、ガバペンチンまたはプレガバリンであることを特徴とする請求項１２または１３記載の医薬組成物。
【請求項１６】
前記ＮＳＡＩＤが、ＣＯＸ阻害剤であることを特徴とする請求項１２〜１５いずれか１項記載の医薬組成物。
【請求項１７】
前記ＮＳＡＩＤが、セレコキシブ、ジクロフェナク、ジフルニサル、フルルビプロフェン、ナプロキセン、ニメスリドまたはスリンダクであることを特徴とする請求項１２〜１６いずれか１項記載の医薬組成物。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
スクラロースの味覚を調節する薬剤を同定する方法であって、
（ｉ）スクラロースにより活性化することができるTAS2R苦味受容体を発現する細胞を、少なくとも１種の薬剤の存在下において、スクラロースと接触させること；および
（ｉｉ）前記少なくとも１種の薬剤が、前記TAS2R苦味受容体のスクラロースへの結合またはスクラロースへの結合に対する機能的応答に影響を及ぼすか否かを決定すること
を含み、ただし、前記細胞が、その天然の環境において操作されていない細胞ではない、前記方法。
【請求項２】
請求項１に記載の方法であって、TAS2R苦味受容体が、
配列番号２、配列番号４、配列番号６および配列番号８からなる群より選択されるポリペプチド配列に対して実質的に相同であり、少なくとも９０％の配列同一性を有する、TAS2R苦味受容体；
配列番号１、配列番号３および配列番号５、配列番号７からなる群より選択されるヌクレオチド配列に対して、配列同一性によって決定される場合に実質的に相同である核酸、
配列番号１、配列番号３および配列番号５、配列番号７からなる群より選択されるヌクレオチド配列に対して、ハイブリダイゼーションによって決定される場合に実質的に相同である核酸、
からなる群より選択されるヌクレオチド配列によりコードされるTAS2R苦味受容体
から選択される１または２以上の配列を含み、
ここで、配列同一性により決定される場合に実質的に相同な核酸は、少なくとも９０％の配列同一性を有し；
ここで、ハイブリダイゼーションにより決定される場合に実質的に相同な核酸は、４２℃の温度で、５０％のホルムアミド、５×ＳＳＣおよび１％のＳＤＳの溶液中でのストリンジェントなハイブリダイゼーション条件下において、ならびに６５℃での０．２×ＳＳＣおよび０．１％のＳＤＳの溶液中での洗浄で、ハイブリダイズし；
ここで、前記核酸は、任意に、対応するタンパク質において、その終末またはその付近に、Ｃ末端を形成するように配列番号１２（HSVタグ）を含み、および任意に、ラットソマトスタチン（RSS）およびロドプシンから任意に選択され、配列番号１１（RSSタグ）から任意に選択される膜輸送タグを、その終末またはその付近に、Ｎ末端を形成するように含み、
およびここで、前記TAS2R苦味受容体は、任意に、その終末またはその付近に、Ｃ末端を形成を形成するように配列番号１２（HSVタグ）を含み、および任意に、ラットソマトスタチン（RSS）タグおよびロドプシンタグから任意に選択され、配列番号１１（RSSタグ）から任意に選択される膜輸送タグを、その終末またはその付近に、Ｎ末端を形成するように含む、前記方法。
【請求項３】
スクラロースの味覚の調節物質としての試験剤を同定するための組合せ使用のための、以下を含むキット：
（ｉ）請求項１または２に記載のTAS2R苦味受容体を発現する組み換え細胞、および
（ｉｉ）スクラロース。
【請求項４】
請求項１または２に記載のTAS2R苦味受容体を調節する薬剤を同定する方法であって、
（ｉ）TAS2R苦味受容体へのスクラロースの結合に応答して変化するパラメーターを測定すること、および
（ｉｉ）試験剤に応答してのパラメーターの変化を陰性対照と比較して決定し、それによってスクラロースの味覚の調節物質を同定すること
を含む、前記方法。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
以下：
（ａ）（ｉ）配列番号10のアミノ酸1〜413、及び/又は（ｉｉ）配列番号10の成熟ポリペプチドと少なくとも75%の同一性を有するアミノ酸配列を含むポリペプチド；及び
（ｂ）（ａ）（ｉ）〜（ａ）（ｉｉ）のポリペプチドのいずれか1つのフラグメント、
からなる群より選択される、フィターゼ活性を有する単離ポリペプチド。
【請求項２】
請求項１記載のポリペプチドをコードするヌクレオチド配列を含む単離ポリヌクレチド。
【請求項３】
以下：
（ａ）（ｉ）配列番号10のアミノ酸1〜413と少なくとも75%の同一性を有するアミノ酸配列を有するポリペプチドをコードするポリヌクレオチド；及び
（ｂ）配列番号9の塩基100〜1338と少なくとも75%の同一性を有するポリヌクレオチド、
からなる群より選択される、フィターゼ活性を有する単離ポリペプチドをコードする単離ポリヌクレオチド。
【請求項４】
発現宿主において請求項１記載のポリペプチドの製造を指向する1以上の制御配列に作動可能に連結された、請求項２又は３記載のポリヌクレオチドを含む核酸構築物。
【請求項５】
請求項４記載の核酸構築物を含む組換え発現ベクター。
【請求項６】
請求項４記載の核酸構築物を含む組換え宿主細胞。
【請求項７】
請求項１記載のポリペプチドの製造方法であって、以下：
（ａ）該ポリペプチドの製造を誘導する条件下で、その野生型において、該ポリペプチド又は請求項６記載の組換え宿主細胞を製造することができる細胞を培養し；及び
（ｂ）該ポリペプチドを回収すること、
を含む、製造方法。
【請求項８】
請求項１記載のポリペプチドをコードするポリヌクレオチドによって形質転換された、トランスジェニック植物、植物部分又は植物細胞。
【請求項９】
請求項１記載のポリペプチドを発現することができる、トランスジェニック非-ヒト動物又は産物もしくはその要素。
【請求項１０】
動物飼料における又は動物飼料における使用のための組成物の製造における、請求項１記載の少なくとも1つのポリペプチドの使用。
【請求項１１】
動物飼料の栄養値を改善するための方法であって、請求項１記載の少なくとも1つのポリペプチドが該飼料に添加される、方法。
【請求項１２】
以下：
（ａ）請求項１記載の少なくとも1つのポリペプチド；及び
（ｂ）少なくとも1つの脂溶性ビタミン、少なくとも1つの水溶性ビタミン、少なくとも1つのミネラル及びそれらの組合せ、
を含む動物飼料添加物。
【請求項１３】
少なくとも1つのアミラーゼ、少なくとも1つのフィターゼ、少なくとも1つのキシラナーゼ、少なくとも1つのガラクタナーゼ、少なくとも1つのα-ガラクトシダーゼ、少なくとも1つのプロテアーゼ、少なくとも1つのホスホリパーゼ、及び/又は少なくとも1つのβ-グルカナーゼを更に含む、請求項１２記載の動物飼料添加物。
【請求項１４】
50〜800 g/kgの粗タンパク質量を有し、かつ請求項１記載の少なくとも1つのポリペプチドを含む、動物飼料組成物。
【請求項１５】
発酵生成物を製造する方法であって、以下：
（ａ）請求項１記載のポリペプチドの存在下で、発酵微生物を用いて、糖質含有物質を発酵し：及び
（ｂ）該発酵された糖質含有物質から発酵生成物又は発酵副生成物を製造すること、ここで、前記発酵生成物はエタノール、ビール、ワイン、又は蒸留乾燥穀類（DDG）である、
を含む、製造方法。
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
ホルムアルデヒド架橋生物学的試料の1以上の成分を分析する方法であって：
(1) 該架橋成分の少なくとも1部分を放出するために、該試料を、エチレンジアミン、エタノールアミン及びプロピルアミンからなる群より選ばれるアルキルアミンの十分量と室温で接触させ、それによって分析用の1以上の成分の利用可能性を改善する段階；
(2) 検出段階の前に、該試料からアルキルアミンを実質的に除く段階；及び
(3) 該成分を検出する段階、
を含み、ここで該成分が核酸であることを特徴とする、方法。
【請求項２】
アルキルアミンの量が、約2 mM〜約800 mMである、請求項１記載の方法。
【請求項３】
分析のために利用できる核酸の部分が、前記接触段階が行われない場合に分析のために利用できる部分と比べて、少なくとも約2倍に増加される、請求項１記載の方法。
【請求項４】
ホルムアルデヒド架橋生物学的試料の1以上の核酸成分の利用可能性を改善するためのキットであって、以下：
(1) エチレンジアミン、エタノールアミン及びプロピルアミンからなる群より選ばれるアルキルアミン；
(2)アルキルアミンを生物学的試料から除去するための手段であって、核酸の精製のためのカラムである、手段；及び
(3) 該核酸成分の検出又は検出改善のための試薬
を含む、前記キット。
【請求項５】
ホルムアルデヒド架橋生物学的試料；及び
架橋核酸成分の少なくとも1部分を放出するために、エチレンジアミン、エタノールアミン及びプロピルアミンからなる群より選ばれるアルキルアミンの十分な量
を含む反応混合物であって、ここでアルキルアミンの量が約2 mM〜約800 mMである、反応混合物。
【手続補正書】
【提出日】平成23年1月4日(2011.1.4)
【手続補正１】
【補正対象書類名】特許請求の範囲
【補正対象項目名】全文
【補正方法】変更
【補正の内容】
【特許請求の範囲】
【請求項１】
プロモーターと，
免疫グロブリン分子の組み換え重鎖をコードする少なくとも１つの配列と，
を含む核酸であって，
該重鎖は，そのサイズ及び変異のいずれか又は両方により，前記核酸が発現されても該重鎖が未変性コンフォメーションをとることができず，折りたたまれず，正しく分泌されないような少なくとも１つの異種Ｔ細胞エピトープを有し，
前記プロモーターは，非特異的プロモーター及び樹枝状細胞及びケラチン生成細胞のいずれか又は両方内で前記核酸の発現を惹き起すプロモータのいずれか又は両方である，
核酸。
【請求項２】
免疫グロブリン分子の軽鎖をコードする少なくとも１つの配列をさらに含む，
請求項１に記載の核酸。
【請求項３】
免疫グロブリン分子の軽鎖をコードする少なくとも１つの配列を含む核酸と結合した，
請求項１に記載の核酸。
【請求項４】
前記軽鎖は，少なくとも１つの異種Ｔ細胞エピトープを有する，
請求項２又は３に記載の核酸。
【請求項５】
前記Ｔ細胞エピトープは，そのサイズ及び変異のいずれか又は両方により，前記核酸が発現されても前記軽鎖が未変性コンフォメーションをとることができず，折りたたまれず，正しく分泌されない，
請求項４に記載の核酸。
【請求項６】
前記少なくとも１つのＴ細胞エピトープは，前記重鎖及び／又は前記軽鎖の可変領域に存在する，
請求項１〜５のいずれか１項に記載の核酸。
【請求項７】
前記少なくとも１つのＴ細胞エピトープは，前記免疫グロブリンの前記重鎖及び／又は前記軽鎖の前記少なくとも１つの相補性決定領域（ＣＤＲ）に存在する，
請求項６に記載の核酸。
【請求項８】
前記相補性決定領域は，ＣＤＲＬ１，ＣＤＲＨ１，及び／又はＣＤＲＨ２である，
請求項７に記載の核酸。
【請求項９】
前記少なくとも１つのＴ細胞エピトープをコードする前記配列は，前記重鎖又は前記軽鎖をコードする前記配列に挿入される，
請求項１〜８のいずれか１項に記載の核酸。
【請求項１０】
前記少なくとも１つのＴ細胞エピトープをコードする前記配列は，前記重鎖又は前記軽鎖をコードする前記配列に置換される，
請求項１〜８のいずれか１項に記載の核酸。
【請求項１１】
抗体をコードする，
請求項１〜１０のいずれか１項に記載の核酸。
【請求項１２】
前記抗体は，モノクローナル抗体である，
請求項１１に記載の核酸。
【請求項１３】
前記少なくとも１つのＴ細胞エピトープは，細胞傷害性Ｔ細胞エピトープである，
請求項１〜１２のいずれか１項に記載の核酸。
【請求項１４】
前記少なくとも１つのＴ細胞エピトープは，ヘルパーＴ細胞エピトープである，
請求項１〜１３のいずれか１項に記載の核酸。
【請求項１５】
前記重鎖及び／又は前記軽鎖は，
少なくとも１つの細胞傷害性Ｔ細胞エピトープと，
少なくとも１つのヘルパーＴ細胞エピトープと，
を有する，
請求項１〜１４のいずれか１項に記載の核酸。
【請求項１６】
前記重鎖は，少なくともひとつの細胞傷害性Ｔ細胞エピトープを含み，
前記軽鎖は，少なくとも１つのヘルパーＴ細胞エピトープを含む，
請求項１〜１５のいずれか１項に記載の核酸。
【請求項１７】
請求項１１〜１５のいずれか１項に記載の核酸であって，
前記免疫グロブリン分子は抗体であり，
前記異種Ｔ細胞エピトープは，
ＣＤＲＨ１及びＣＤＲＬ３における，GTGRAMLGTHTMEVTVYH，
ＣＤＲＨ２における，SVYDFFVWL，及び
ＣＤＲＨ３及びＣＤＲＬ１における，WNRQLYPEWTEAQRLDである
核酸。
【請求項１８】
請求項１７に記載の核酸であって，前記抗体が図６０に示される配列を有する，核酸。
【請求項１９】
請求項１〜１８のいずれか１項に記載の核酸と，
アジュバントと，
を含むワクチン。
【請求項２０】
請求項１〜１８のいずれか１項に記載の核酸と，
薬学的に許容されるキャリア，賦形剤，又は希釈剤と，
を含む医薬組成物。
【請求項２１】
医薬用の請求項１〜１８のいずれか１項に記載の核酸。
【請求項２２】
少なくとも１つの前記Ｔ細胞エピトープに対する免疫反応を刺激するのに用いるための請求項２１に記載の核酸。
【請求項２３】
少なくとも１つの前記Ｔ細胞エピトープに対する免疫反応を刺激するための薬剤の製造における請求項１〜１８のいずれか１項に記載の核酸の利用。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
少コピー数の核酸セグメントを同定する方法であって、
（ａ）対象ゲノム領域から高頻度および中頻度繰り返し配列を除去し、非繰り返しゲノムセグメントを表示するステップ、
（ｂ）非繰り返しゲノムセグメントを、対象領域以外のゲノム領域とのホモロジーに関して検索し、対象としないゲノム領域と相同なセグメントを総て廃棄するステップ、
（ｃ）非繰り返しゲノムセグメントにおいて予測される二次構造モチーフを同定するステップ、および
（ｄ）前記ステップ（ａ）、（ｂ）および（ｃ）のうちの少なくとも一つによって同定した非繰り返しセグメントからプローブを設計し、このプローブを対象ゲノム領域および対象としないゲノム領域と比較してユニークさに関し解析するステップの中から二つ以上のステップを含む方法。
【請求項２】
前記ステップ（ａ）〜（ｄ）の中から少なくとも三つのステップを含む、請求項１に記載の方法。
【請求項３】
前記ステップ（ａ）の非繰り返しゲノムセグメントが１ｋｂより大きいサイズを有する、請求項１または２に記載の方法。
【請求項４】
前記ステップ（ｃ）が熱力学的解析によって行なわれる、請求項１〜３のいずれかに記載の方法。
【請求項５】
実施した方法によって得られるゲノムセグメントに対応するＰＣＲプライマーを設計するステップをさらに含む、請求項１〜４のいずれかに記載の方法。
【請求項６】
前記ＰＣＲプライマーがユニーク配列しか含まないことを確実にするステップをさらに含む、請求項５に記載の方法。
【請求項７】
ハイブリダイゼーション実験に用いられるプローブを選択する方法であって、
（ａ）対象配列から繰り返し配列を除去して配列セグメントを用意するステップ、
（ｂ）前記配列セグメントを、対象配列を含む領域以外のゲノム領域とそれぞれ比較して、前記ゲノム領域のいずれかの箇所とマッチする前記セグメントを総て廃棄し、残ったユニーク配列を保存するステップ、
（ｃ）前記ユニーク配列を予測される二次構造モチーフに関して評価するステップ、および
（ｄ）予測される二次構造モチーフを有しない前記ユニーク配列に基づきプローブを選択するステップ
を含む方法。
【請求項８】
前記プローブのためのＰＣＲプライマーを設計するステップをさらに含む、請求項７に記載の方法。
【請求項９】
前記ＰＣＲプライマーがゲノムの他の箇所とマッチしないことを確実にするステップをさらに含む、請求項８に記載の方法。
【請求項１０】
前記ステップ（ｃ）が熱力学的解析によって行なわれる、請求項７〜９のいずれかに記載の方法。
【請求項１１】
前記熱力学的解析がギブズ自由エネルギーの式に基づき、そのときギブズ自由エネルギーが０と５０との間である、請求項１０に記載の方法。
【請求項１２】
前記ギブズ自由エネルギーの式においてΔＨ＜−１０００、ΔＳ＜−３５００、およびＴｍ≧３７℃である、請求項１１に記載の方法。
【請求項１３】
Ｔｍが４２℃以上である請求項１２に記載の方法。
【請求項１４】
Ｔｍが６０℃以上である請求項１２に記載の方法。
【請求項１５】
配列番号１〜５７からなる群から選択される少なくとも１つの核酸配列。
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
Ｎ末端からＣ末端の方向で、
（ｉ）第１のＦタンパク質ポリペプチドドメイン、
（ｉｉ）Ｇタンパク質ポリペプチドドメイン、および
（ｉｉｉ）第２のＦタンパク質ポリペプチドドメイン
を含む、キメラ呼吸器合胞体ウイルス（ＲＳＶ）ポリペプチド。
【請求項２】
第１のＦタンパク質ポリペプチドドメイン（ｉ）がネイティブＦタンパク質ポリペプチドの残基２４〜残基１０７のアミノ酸配列を含む、請求項１に記載のキメラＲＳＶポリペプチド。
【請求項３】
第２のＦタンパク質ポリペプチドドメイン（ｉｉｉ）がネイティブＦタンパク質ポリペプチドの残基１６１〜残基５２４のアミノ酸配列を含む、請求項１から２のいずれかに記載のキメラＲＳＶポリペプチド。
【請求項４】
シグナルペプチドをさらに含む、請求項１から３のいずれかに記載のキメラＲＳＶポリペプチド。
【請求項５】
天然に存在するＲＳＶ  Ｆタンパク質中に存在するフューリン切断部位を排除する少なくとも１つのアミノ酸の欠失、付加または置換を含む、請求項１から４のいずれかに記載のキメラＲＳＶポリペプチド。
【請求項６】
Ｇタンパク質ポリペプチドドメイン（ｉｉ）がネイティブＧタンパク質ポリペプチドの少なくとも１つの免疫優勢のＴ細胞エピトープを含む、請求項１から５のいずれかに記載のキメラＲＳＶポリペプチド。
【請求項７】
免疫優勢のＴ細胞エピトープがネイティブＧタンパク質ポリペプチドのアミノ酸残基１８３〜残基２０３を含む、請求項６に記載のキメラＲＳＶポリペプチド。
【請求項８】
Ｇタンパク質の残基１９１でアスパラギンからアラニンへの置換（Ｎ１９１Ａ）を含む、請求項６または７に記載のキメラＲＳＶポリペプチド。
【請求項９】
前記請求項のいずれかに記載のキメラＲＳＶポリペプチドの多量体を含む組換えＲＳＶ抗原。
【請求項１０】
請求項１から９のいずれかに記載のキメラＲＳＶポリペプチド、および担体または賦形剤を含む、免疫原性組成物。
【請求項１１】
アジュバントをさらに含む、請求項１０に記載の免疫原性組成物。
【請求項１２】
アジュバントがＴｈ１に偏らせるアジュバントである、請求項１１に記載の免疫原性組成物。
【請求項１３】
医薬に使用するための、請求項１０から１２のいずれかに記載の免疫原性組成物。
【請求項１４】
ヒト対象に投与した後にＲＳＶの感染症の予防または減少に使用するための、請求項１０から１２のいずれかに記載の免疫原性組成物。
【請求項１５】
請求項１から８のいずれかに記載のキメラポリペプチドをコードしているポリヌクレオチド配列を含む組換え核酸。
【請求項１６】
請求項１５に記載の核酸を含む、宿主細胞。
【請求項１７】
ＲＳＶ感染症を処置する医薬品の調製における、請求項１から８のいずれかに記載のキメラＲＳＶポリペプチドまたは請求項９に記載の抗原の使用。
【請求項１８】
医薬品を、ＲＳＶ感染症の予防的処置を目的として投与する、請求項１７のキメラＲＳＶポリペプチドまたは抗原の使用。
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
近位開口部から遠位端に延在する内腔を有する細長い本体であって、前記内腔が光学装置を受け入れるような大きさおよび形状を有する本体と、
視覚化を妨げずに前記細長い本体に対する光学装置の遠位移動を制限するように構成されたストッパーと、
前記遠位開口部の近傍に配置され、前記内腔から遠位に延在するレンズカバーであって、光学装置を前記内腔内に配置する場合、前記レンズカバーによって光学装置の遠位端と前記レンズカバーの遠位端の間にオフセットが設けられ、前記レンズカバーの前記遠位端がそれにより視覚化を可能にするように構成された、長球形状先端部を含む透明な遠位部分を有する前記レンズカバーと、
を含む医療装置。
【請求項２】
前記内腔内に配置された、遠位端を有する内視鏡をさらに含む、請求項１に記載の医療装置。
【請求項３】
前記長球状先端部を通して内視鏡画像が観察されるように、前記長球状先端部が前記内視鏡の視野と位置合わせされている、請求項２に記載の医療装置。
【請求項４】
前記レンズカバーによって設けられる前記オフセットが、長球形状を有する前記レンズの一部によって画定されている、請求項１に記載の医療装置。
【請求項５】
前記レンズカバーによって設けられる前記オフセットが、長球形状を有する前記レンズカバーの第１の部分および異なる形状を有する前記レンズカバーの第２の部分によって画定されている、請求項１に記載の医療装置。
【請求項６】
前記細長い本体が少なくとも１つのさらなる内腔を含み、前記少なくとも１つのさらなる内腔が手術用ツールの誘導のための開放遠位端を有する、請求項１に記載の医療装置。
【請求項７】
前記ストッパーが、前記細長い本体の前記遠位端の近傍に配置され、前記ストッパーが前記レンズカバーの一部によって画定されている、請求項１に記載の医療装置。
【請求項８】
前記オフセットが、前記ストッパーと前記レンズカバーの前記遠位端との間で測定される、請求項７に記載の医療装置。
【請求項９】
画像収集部材を有する細長い本体と、
前記画像収集部材の近傍に配置され、そこから遠位に延在するレンズカバーであって、前記レンズカバーによって前記画像収集部材と前記レンズカバーの前記遠位端との間にオフセットが設けられ、前記レンズカバーの前記遠位端がそれにより視覚化を可能にするように構成された、長球状先端部を含む透明な遠位部分を有するレンズカバーと、
を含む医療装置。
【請求項１０】
前記画像収集部材が内視鏡の遠位端によって画定されている、請求項９に記載の医療装置。
【請求項１１】
前記長球状先端部を通して画像が観察されるように、前記長球状先端部が前記画像収集部材の視野と位置合わせされている、請求項９に記載の医療装置。
【請求項１２】
前記レンズカバーによって設けられる前記オフセットが、長球形状を有する前記レンズカバーの一部によって画定されている、請求項９に記載の医療装置。
【請求項１３】
前記レンズによって設けられる前記オフセットが、長球形状を有する前記レンズの第１の部分および異なる形状を有する前記レンズの第２の部分によって画定されている、請求項９に記載の医療装置。
【請求項１４】
医療装置の遠位部分と結合するための近位結合部分と閉鎖遠位端を有する遠位光学部分との間に延在する細長い本体、内面および外面を有するレンズカバーであって、前記内面および前記外面の少なくとも一部が長球形状を有し、前記遠位光学部分が少なくとも約１１ｍｍのオフセットを画定するレンズカバーを含む、医療装置と共に使用されるレンズカバー。
【請求項１５】
前記長球が楕円体である、請求項１または請求項９に記載の医療装置。
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
少なくとも２つの成分から成るポリマー系をベースとするインプラント材料であって、前記成分が、混合したとき互いに反応し、ポリマーベースの固体を形成し、ポリマー系の第１の成分は、少なくとも１種の生体適合性のあるポリマー粉末と、混合したとき重合反応を引き起こすための開始剤成分とを含み、そしてポリマー系の第２の成分は、少なくとも１種の反応性有機液体、または反応性有機液体と生体適合性のあるポリマーとの溶液もしくは懸濁液を含む、インプラント材料であり、
ポリマー系の第１の成分が、前記ポリマー粉末と開始剤成分とを担体液と組み合わせて含む貯蔵安定性のペーストであり、ここで、ポリマー粉末及び開始剤成分は、標準状態下では、担体液中に溶解しないが、担体液中に懸濁されており、そして開始剤成分は、ポリマー系の第２の成分と混合されるまで安定したままであることを特徴とする、前記インプラント材料。
【請求項２】
生体適合性のあるポリマー成分が、アクリル酸エステル、メタクリル酸エステル、スチレン誘導体、ビニル誘導体、またはそれらの混合物のホモポリマーまたはコポリマーから選択され、および／または担体液が、水、水溶液、グリセリン、プロパンジオール、低分子ＰＥＧ、ＰＥＧ−ＰＰＧコポリマー、ＤＭＳＯ、メチルピロリドン、生体適合性のある油、またはそれら相互の混合物、またはそれら相互の別の物質との混合物から選択されていることを特徴とする請求項１に記載のインプラント材料。
【請求項３】
第２の成分が、反応性有機液体として、メチルメタクリレートまたはメタクリル酸の同族のエステルまたはそれらの混合物を含むことを特徴とする請求項１または２に記載のインプラント材料。
【請求項４】
第２の成分のポリマーが、ポリアクリル酸エステルまたはポリメタクリル酸エステルまたはポリスチレンまたはそれらのコポリマーであることを特徴とする請求項１〜３のいずれか一つに記載のインプラント材料。
【請求項５】
開始剤系が２成分ラジカル開始剤であり、この開始剤系の一方の成分は、ポリマー系の第１の成分中の担体液中に不溶性の形で含まれ、そして開始剤系の第２の成分は、ポリマー系の第２の成分中に、共開始剤、重合促進剤またはイニシエータとして含まれることを特徴とする、請求項１〜４のいずれか一つに記載のインプラント材料。
【請求項６】
ポリマー系の少なくとも１つの成分が、水溶性ポリマーおよび／または抗生物質を含むことを特徴とする、請求項１〜５のいずれか一つに記載のインプラント材料。
【請求項７】
ポリマー系の第１の成分の担体液とポリマー系の第２の成分の反応性有機液体が、化学的な意味において互いに混合可能でないか、または相溶しない、もしくは少ししか相溶しないこと、および前記成分を混合したとき物理的な混合物が生じることを特徴とする請求項１〜６のいずれか一つに記載のインプラント材料。
【請求項８】
ポリマー系の少なくとも１つの成分が、少なくとも１種の生体適合性のあるアニオン性および／またはノニオン性の界面活性剤を含むことを特徴とする請求項７に記載のインプラント材料。
【請求項９】
ポリマー系の第１の成分の担体液および／またはポリマー系の第２の成分の反応性有機液体が、水溶性のモノマーまたはマクロマーを含んでおり、前記モノマーまたはマクロマーが、ポリマー系の重合の最中または後で、形成されるポリマーベースの固体の水相において重合することができ、ここで前記水溶性モノマーは、メタクリル酸、ＨＥＭＡ、ＨＰＭＡ、ＨＥＭＡリン酸塩、スルホプロピルメタクリレート、それらの同族体、またはそれらの混合物から選択され、および／または記水溶性マクロマーが、ＰＥＧモノメタクリレート、ＰＥＧジメタクリレート、分岐型ＰＥＧ−ｎ−メタクリレート、それらの同族体、またはそれらの混合物から選択されることを特徴とする請求項７または８に記載のインプラント材料。
【請求項１０】
ポリマー系の成分が、ポリマー系の成分の粘性を調整するために、溶解したポリマーまたは微細に懸濁した有機系、無機系もしくは有機鉱物系の構成要素を含むこと、およびポリマー系の成分の粘性が２００Ｐａ・ｓの値を超えないことを特徴とする請求項１〜９のいずれか一つに記載のインプラント材料。
【請求項１１】
ポリマー系の成分の少なくとも１つが、マイクロ結晶の、ナノ結晶の、もしくは非晶質の骨ミネラル、または合成の骨様ミネラルを含む、請求項１〜１０のいずれか一つに記載のインプラント材料。
【請求項１２】
ポリマー系の少なくとも１つの成分が、ミネラル堆積のための結晶化核として働き、かつ／またはそのようなミネラル堆積の形成を促進する、少なくとも１種の生体適合性のある物質を含むこと、および前記物質が少なくとも１つのカルボキシル基、硫酸基、および／またはリン酸基および／またはシロキサン基を含むことを特徴とする請求項１〜１１のいずれか一つに記載のインプラント材料。
【請求項１３】
ダブルチャンバ・シリンジと、強制ミキサ／スタティックミキサとを備える、請求項１〜１２のいずれか一つに記載のインプラント材料を含む適用キット。
【請求項１４】
骨セメント、骨代替材料、骨接着剤、および／または植込み可能な有効物質担体を製造するための請求項１〜１２のいずれか一つに記載のインプラント材料の使用。
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
処理装置の自己管理方法であって、
前記処理装置に関して構成変更を監視及び記録すること、
セッション中にユーザーファイル変更を監視及び記録すること、
少なくとも１つのシステム不安性が存在するか否かを自動的に検出すること、
前記少なくとも１つのシステム不安性を検出した後、前記処理装置を安定状態に復元しようと自動的に試みること、
前記構成変更又は前記ユーザーファイル変更を持続するか否かを判断すること、及び
前記構成変更又は前記ユーザーファイル変更が持続されるべきでないとき、該構成変更又は該ユーザーファイル変更を取り消すこと、
を含み、
前記処理装置によって実行される方法。
【請求項２】
前記構成変更又は前記ユーザーファイル変更を持続するか否かを判断することは、
少なくとも１つのユーザーファイルに対してセッション中に行われた変更が持続されるべきか又は破棄されるべきかに関して、ユーザーにプロンプトすることをさらに含む、請求項１に記載の方法。
【請求項３】
前回のセッション中に変更されたユーザーファイルを復元するオプションをユーザーに提供すること、
をさらに含む、請求項１に記載の方法。
【請求項４】
リカバリーボタンを提供することであって、該リカバリーボタンを起動することによって、前記処理装置を、以前から既知である複数の機能状態のうちの１つに復元する、提供することをさらに含む、請求項１に記載の方法。
【請求項５】
前記処理装置のブートが成功した後に、システム設定のバックアップコピーを自動的に作成すること、及び
前記処理装置の後続のブートの失敗の後に、前記バックアップコピーから前記システム設定を自動的に復元すること、
をさらに含む、請求項１に記載の方法。
【請求項６】
前記処理装置のブートの失敗を自動的に検出すること、及び
前記処理装置を機能状態に復元しようと試みるために記憶領域からシステム設定を自動的に復元すること、
をさらに含む、請求項１に記載の方法。
【請求項７】
処理装置であって、
少なくとも１つのプロセッサーと、
前記少なくとも１つのプロセッサーのための命令を含むメモリーと、
前記少なくとも１つのプロセッサー及び前記メモリーに接続されるバスであって、前記少なくとも１つのプロセッサーと前記メモリーとの間の通信能力を提供するように配置される、バスと、
前記少なくとも１つのプロセッサー及び前記メモリーとは別個のチップセットであって、前記バスに接続され、少なくとも１つの第２のプロセッサーと、該少なくとも１つの第２のプロセッサーがバックアップサービス及び自動リカバリーサービスを実行するための命令とを含む、チップセットと
を備え、前記メモリーは、
セッションごとにユーザーファイル変更を監視する命令と、
セッション中にユーザーファイル変更を取り消す命令と、
前記処理装置の起動が成功した後、システム設定のバックアップコピーを自動的に作成するための命令と、
前記処理装置の後続のブートの失敗を検出した後に、前記バックアップコピーから前記システム設定を自動的に復元するための命令と、
を含む、処理装置。
【請求項８】
前記メモリーは、
前記処理装置の性能を自動的に監視するための命令と、
前記処理装置の前記性能の前記監視の結果に基づいて前記処理装置の前記性能を改善するための処置を自動的に実行するための命令と、
をさらに含む、請求項７に記載の処理装置。
【請求項９】
前記バスへの接続を有するリカバリーボタンであって、該リカバリーボタンが起動されると、信号が前記少なくとも１つのプロセッサーのうちの１つ又は前記少なくとも１つの第２のプロセッサーによって受信され、それによって該少なくとも１つのプロセッサーのうちの１つ又は前記少なくとも１つの第２のプロセッサーが前記処理装置を動作状態に復元するための命令を実行するような、リカバリーボタンをさらに備える、請求項７に記載の処理装置。
【請求項１０】
前記メモリーは、アンチウィルス保護サービス、アンチマルウェア保護サービス、ファイアウォール保護サービス、又はセキュリティパッチ管理サービスのうちの少なくとも１つを提供するための命令をさらに含む、請求項７に記載の処理装置。
【請求項１１】
前記メモリーは、
セッション毎にシステムファイル変更を監視するための命令と、
セッション中に行われた前記システムファイル変更を取り消すための命令と、
をさらに含む、請求項７に記載の処理装置。
【請求項１２】
前記メモリーは、
アプリケーション毎の単位でファイル変更を監視するための命令と、
ユーザーがアプリケーション毎の単位で前記ファイル変更の選択的ロールバックを引き起こすことを可能にするための命令と、
をさらに含む、請求項７に記載の処理装置。
【請求項１３】
処理装置の少なくとも１つのプロセッサーのための命令を有する有形機械可読媒体であって、
セッション中のユーザーファイル変更及び構成変更を自動的に監視及び記録するための命令と、
少なくとも１つのユーザーファイルに対してセッション中に行われた変更が持続されるべきか又は破棄されるべきかに関して、ユーザーにプロンプトするための命令と、
前記少なくとも１つのユーザーファイルに対して前記セッション中に行われた前記変更が持続されるべきでないことを示すことによって前記ユーザーが前記プロンプトに応答する場合、前記少なくとも１つのユーザーファイルに対して前記セッション中に行われた前記変更を取り消すための命令と
を含む、有形機械可読媒体。
【請求項１４】
前記処理装置の起動の失敗を検出するための命令と、
前記処理装置の前記起動の失敗を検出すると該処理装置を安定状態に復元しようと自動的に試みるための命令と、
をさらに含む、請求項１３に記載の有形機械可読媒体。
【請求項１５】
ユーザーが前記処理装置のリカバリーボタンを選択するのに応答して該処理装置を安定状態に復元しようと試みるための命令をさらに含む、請求項１３に記載の有形機械可読媒体。
【請求項１６】
前記処理装置の性能を監視すると共に、１つ又は複数の条件が発生すると、前記処理装置の前記性能を改善するための処置を取るための命令をさらに含む、請求項１３に記載の有形機械可読媒体。
【請求項１７】
前記処理装置をコンピューターウィルス及びマルウェアから保護するための命令と、
セッション中にアプリケーションによって行われたファイルシステム変更を常に破棄するように前記処理装置を構成する能力をユーザーに提供するための命令と、
をさらに含む、請求項１３に記載の有形機械可読媒体。
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
複数の入力変数に基づいて少なくとも１つの出力変数を予測する予測アルゴリズムの作成方法であって、
物理的、化学的、又は生物的プロセスを表すデータの第１のセットを得るステップであって、データの前記第１のセットは、前記少なくとも１つの出力変数の第１セット測定結果と、前記入力変数の対応する第１セット測定結果とを有するステップと、
少なくとも３つの適応度基準を適用する遺伝的プログラミング技術を使用して複数の対象アルゴリズムを進化させるステップであって、前記少なくとも３つの適応度基準は、前記入力変数の前記対応する第１セット測定結果に基づいて前記少なくとも１つの出力変数の前記第１セット測定結果を予測する、それぞれの対象アルゴリズムの能力を評価する正確性判断基準と、それぞれの対象アルゴリズムの複雑性を評価する複雑性判断基準と、それぞれの対象アルゴリズムの非線形性を評価する円滑性判断基準と、を含むステップと、
前記対象アルゴリズムの１つを前記予測アルゴリズムとして選択するステップと、
を有することを特徴とする予測アルゴリズム作成方法。
【請求項２】
前記物理的、化学的、又は生物的プロセスは、工業プロセスである請求項１に記載の予測アルゴリズム作成方法。
【請求項３】
前記少なくとも１つの出力変数は、放出監視に関する請求項１に記載の予測アルゴリズム作成方法。
【請求項４】
前記少なくとも１つの出力変数は、物理的特性、化学的特性、機械的特性、材料特性、又は生物特性である請求項１に記載の予測アルゴリズム作成方法。
【請求項５】
前記予測アルゴリズムは、前記３つの適応度基準について前記対象アルゴリズムの中で最適である請求項１に記載の予測アルゴリズム作成方法。
【請求項６】
前記対象アルゴリズムの１つを前記予測アルゴリズムとして選択するステップは、複数のパレートフロントアルゴリズムを得るために、前記３つの適応度基準について、どの前記対象アルゴリズムが３次元パレートフロント上に位置しているか決定するステップを有する、請求項１に記載の予測アルゴリズム作成方法。
【請求項７】
前記対象アルゴリズムの１つを前記予測アルゴリズムとして選択するステップは、前記パレートフロントアルゴリズムから前記予測アルゴリズムを選択するために、少なくとも１つの付加的な選択判断基準を適用するステップをさらに有する、請求項６に記載の予測アルゴリズム作成方法。
【請求項８】
前記物理的、化学的、又は生物的プロセスを表すデータの第２のセットを得るステップであって、データの前記第２のセットは、前記少なくとも１つの出力変数の第２セット測定結果と、前記入力変数の対応する第２セット測定結果とを有するステップと、
データの前記第２のセットを使用して前記予測アルゴリズムをテストするステップと、
をさらに有する請求項１に記載の予測アルゴリズム作成方法。
【請求項９】
データの前記第２のセットを使用して前記予測アルゴリズムをテストするステップは、前記入力変数の前記対応する第２セット測定結果に基づいて前記少なくとも１つの出力変数の前記第２セット測定結果を予測する、前記予測アルゴリズムの能力を評価するステップを有する、請求項８に記載の予測アルゴリズム作成方法。
【請求項１０】
物理的、化学的、又は生物的プロセスの監視方法であって、
前記物理的、化学的、又は生物的プロセスの複数の測定可能なパラメータの現在値を決定するステップと、
前記物理的、化学的、又は生物的プロセスの付加的なパラメータを前記測定可能なパラメータに基づいて予測する少なくとも１つの予測アルゴリズムを使用するように構成される推論センサに前記現在値を提供するステップであって、前記少なくとも１つの予測アルゴリズムは、正確性、複雑性、及び円滑性について最適化されているステップと、
前記推論センサが前記少なくとも１つの予測アルゴリズムを使用して、前記測定可能なパラメータの前記現在値に基づいて前記付加的なパラメータの推論値を決定するステップと、
を有することを特徴とする監視方法。
【請求項１１】
前記物理的、化学的、又は生物的プロセスの複数の測定可能なパラメータの現在値を決定するステップは、ハードウェアセンサを使用して前記測定可能なパラメータの少なくとも１つを測定する、請求項１０に記載の監視方法。
【請求項１２】
前記プロセスは、工業プロセスである請求項１０に記載の監視方法。
【請求項１３】
前記付加的なパラメータの前記推論値に基づいて前記工業プロセスを制御するステップをさらに有する、請求項１２に記載の監視方法。
【請求項１４】
前記付加的なパラメータの前記推論値に基づいて前記工業プロセスを制御するステップは、前記推論値とプリセットした値とを比較するステップを有する、請求項１３に記載の監視方法。
【請求項１５】
前記付加的なパラメータは、物理的特性、化学的特性、機械的特性、材料特性、又は生物特性である請求項１０に記載の監視方法。
【請求項１６】
前記測定可能なパラメータの履歴値と前記付加的なパラメータの履歴値とを適用した遺伝的プログラミング技術を使用して前記少なくとも１つの予測アルゴリズムを作成するステップであって、前記履歴値は、前記物理的、化学的、又は生物的プロセスに関して前もって得られているステップをさらに有する、請求項１０に記載の監視方法。
【請求項１７】
前記測定可能なパラメータの前記履歴値は、第１の範囲を規定し、前記測定可能なパラメータの前記現在値の少なくとも一部は、前記第１の範囲外にある、請求項１６に記載の監視方法。
【請求項１８】
前記付加的なパラメータの前記履歴値は、第２の範囲を規定し、前記付加的なパラメータの前記推論値は、前記第２の範囲外にある、請求項１６に記載の監視方法。
【請求項１９】
物理的、化学的、又は生物的プロセスの監視システムであって、
前記物理的、化学的、又は生物的プロセスの複数のパラメータの測定値を得るための少なくとも１つのハードウェアセンサと、
前記物理的、化学的、又は生物的プロセスの付加的なパラメータの推論値を前記測定値に基づいて決定する推論センサであって、前記推論センサは、遺伝的プログラミング技術を使用して正確性、複雑性、及び円滑性について最適化された少なくとも１つの予測アルゴリズムを使用して前記推論値を決定するように構成される推論センサと、
を有する監視システム。
【請求項２０】
前記物理的、化学的、又は生物的プロセスを前記推論値に基づいて制御する制御システムをさらに有する請求項１９に記載の監視システム。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
縦軸を有するコレット体、縦軸を有するスタッド、およびコレット体回転防止手段を備えた長さ調整可能なコレットアンカーシステムであって、
(i)  前記コレット体は、
略円形の開口部を区画形成する第１端と、
前記第１端に隣接する第１壁部であって、内面と、外面と、当該外面から延び出すと共に前記第１端側に向けられた前方面および前記第１端とは逆方向に向けられた後尾面を有する突起と、それぞれが前記第１端側に先端部を持つ少なくとも２本のフィンガーを形成するように前記第１端から縦軸方向に延びる少なくとも２つの補助スロットとを有する第１壁部と、
所定の直径を有する略円形の開口部を区画形成する第２端と、
前記第２端に隣接する第２壁部であって、内面と、外面とを有する第２壁部と、
を具備しており、
(ii)  前記スタッドは、
その基端部に設けられたスタッドヘッドと、
本体部と、
先端部と、
当該先端部又はその近傍に設けられた少なくとも１つの半径方向に延びる突起と、
を具備しており、
前記スタッドの本体部は、少なくとも１つの螺子溝部分を有すると共に、前記第２端の略円形開口部を通ってフィットするサイズであり、
(iii)  前記コレット体回転防止手段の第１部分は、前記コレット体回転防止手段の第２部分を有する補助構造体と係合して、その補助構造体を通じて平行移動するときに前記コレット体の回転を実質的に制限するためのものであり、
(iv)  前記コレット体の少なくとも１つの内面は、前記スタッドの少なくとも１つの螺子溝部分と相補的である少なくとも１つの螺子溝部分を形成すると共に、
前記コレット体の内面は、前記スタッドの半径方向に延びる突起の最大径よりも小さい最小径を形成して、前記スタッドの少なくとも先端部が前記コレット体の第１端と第２端との間にあるときに、その最小径部位を超える縦軸方向の移動を防止する、
ことを特徴とするコレットアンカーシステム
【請求項２】
前記スタッドは、前記半径方向に延びる突起と前記少なくとも１つの螺子溝部分との間に減少径部分を更に具備しており、この減少径部分は、縦軸長ＬＲＤと、前記コレット体の前記少なくとも１つの螺子溝部分の最小径よりも小さな直径と有する、ことを特徴とする請求項１記載のコレットアンカーシステム。
【請求項３】
前記コレット体の少なくとも１つの螺子溝部分は、縦軸長ＬＣＴを有しており、前記スタッドの減少径部分の縦軸長ＬＲＤは、前記ＬＣＴ以上である、ことを特徴とする請求項２記載のコレットアンカーシステム。
【請求項４】
前記コレット体又はスタッドのいずれか一方は、前記コレット体に対する前記スタッドの意図しない回転を極力防止するため、前記コレット体の少なくとも１つの螺子溝部分と前記スタッドの少なくとも１つの螺子溝部分との間に摩擦を増す手段を更に備える、ことを特徴とする請求項１記載のコレットアンカーシステム。
【請求項５】
前記半径方向に延びる突起は、前記スタッド先端部の衝撃変形、カシメられた環状部材、溶接された環状部材、接合された環状部材または回転結合された環状部材のうちの１つである、ことを特徴とする請求項１記載のコレットアンカーシステム。
【請求項６】
前記半径方向に延びる突起は、傾斜したエッジ部を含んでいる、ことを特徴とする請求項５記載のコレットアンカーシステム。
【請求項７】
前記傾斜したエッジ部は、前記スタッドの先端部に隣接している、ことを特徴とする請求項６記載のコレットアンカーシステム。
【請求項８】
前記傾斜したエッジ部は、前記スタッドの基端部に面している、ことを特徴とする請求項６記載のコレットアンカーシステム。
【請求項９】
前記回転防止手段の第１部分は、前記コレット体第２壁部の外面から延びる少なくとも１つの突起を含んでいる、ことを特徴とする請求項１記載のコレットアンカーシステム。
【請求項１０】
前記回転防止手段の第１部分は、前記コレット体第２壁部の外面により区画形成されると共にそこから内側に延びる少なくとも１つの凹部を含んでいる、ことを特徴とする請求項１記載のコレットアンカーシステム。
【請求項１１】
コレットアンカーシステムは、前記補助構造体として機能するアンカー本体を更に備えており、
このアンカー本体は、その上方面からその下方面へ延び且つ前記コレット体を受け入れるサイズの少なくとも１つの垂直ボア穴を提供し、更に、別の構造体を受け入れるために第１の側面から第２の側面へ延びる少なくとも１つの水平ボア穴を提供しており、
前記少なくとも１つの垂直ボア穴は、前記コレット体回転防止手段の第１部分の平行移動を可能にすべく設計された断面形状を持つ内壁を有している、ことを特徴とする請求項１記載のコレットアンカーシステム。
【請求項１２】
コレットアンカーシステムは、前記コレット体の外面に配置される、二部分からなる平行移動阻止手段の第１部分を更に備えており、
前記二部分からなる平行移動阻止手段の第１部分は、前記補助構造体に見られる当該二部分からなる平行移動阻止手段の第２部分と機能的に協働するものである、
ことを特徴とする請求項１記載のコレットアンカーシステム。
【請求項１３】
コレットアンカーシステムは、
前記コレット体の外面に配置される、二部分からなる平行移動阻止手段の第１部分と、
前記少なくとも１つの垂直ボア穴に配置される、前記二部分からなる平行移動阻止手段の第２部分と、
を更に備えていることを特徴とする請求項１１記載のコレットアンカーシステム。